【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力のレンズ群Ｌｐ、負の屈折力のレンズ群Ｌｎを有し、ズーミングに際して隣り合うレンズ群の間隔が変化するズームレンズにおいて、
前記レンズ群Ｌｎよりも像側に配置された開口絞りを有し、
前記レンズ群Ｌｐと前記レンズ群Ｌｎのうち焦点距離の絶対値が小さい方をレンズ群ＦＡ、絶対値が大きい方をレンズ群ＦＢとするとき、
前記レンズ群ＦＡは２枚以下のレンズより構成され、無限遠から第１の有限距離へのフォーカシングに際して前記レンズ群ＦＡは前記レンズ群ＦＢ側へ移動し、
少なくとも一部のズーム範囲における前記第１の有限距離よりも近距離の第２の有限距離へのフォーカシングに際して、前記レンズ群ＦＡは前記レンズ群ＦＢ側へ移動し、前記レンズ群ＦＢは前記レンズ群ＦＡと同じ方向へ移動することを特徴とするズームレンズ。
【請求項２】
前記レンズ群ＦＡの焦点距離をｆＦＡ、前記レンズ群ＦＢの焦点距離をｆＦＢとするとき、
１．０５＜−ｆＦＢ／ｆＦＡ＜２．５０
なる条件式を満たすことを特徴とする請求項１に記載のズームレンズ。
【請求項３】
広角端における前記レンズ群Ｌｎの横倍率をβｎｗとするとき、
｜βｎｗ｜＜１．０
なる条件式を満たすことを特徴とする請求項１又は２に記載のズームレンズ。
【請求項４】
望遠端における前記レンズ群Ｌｎの横倍率をβｎｔとするとき、
｜βｎｔ｜＜１．０
なる条件式を満たすことを特徴とする請求項１乃至３のいずれか１項に記載のズームレンズ。
【請求項５】
前記レンズ群Ｌｐの焦点距離をＦｐ、前記レンズ群Ｌｐよりも物体側に１以上のレンズ群を含む前方レンズ系を有し、広角端における前記前方レンズ系の合成焦点距離をＦｆｗとするとき、
０．３＜−Ｆｆｗ／Ｆｐ＜２．０
なる条件式を満たすことを特徴とする請求項１乃至４のいずれか１項に記載のズームレンズ。
【請求項６】
前記レンズ群Ｌｐの焦点距離をＦｐ、前記レンズ群Ｌｐよりも物体側に１以上のレンズ群を含む前方レンズ系を有し、望遠端における前記前方レンズ系の合成焦点距離をＦｆｔとするとき、
０．３＜−Ｆｆｔ／Ｆｐ＜２．０
なる条件式を満たすことを特徴とする請求項１乃至５のいずれか１項に記載のズームレンズ。
【請求項７】
前記レンズ群Ｌｎの焦点距離をＦｎ、前記レンズ群Ｌｎよりも像側に１以上のレンズ群を含む後方レンズ系を有し、広角端における前記後方レンズ系の合成焦点距離をＦｒｗとするとき、
０．３０＜−Ｆｒｗ／Ｆｎ＜０．９５
なる条件式を満たすことを特徴とする請求項１乃至６のいずれか１項に記載のズームレンズ。
【請求項８】
前記レンズ群Ｌｎの焦点距離をＦｎ、前記レンズ群Ｌｎよりも像側に１以上のレンズ群を含む後方レンズ系を有し、望遠端における前記後方レンズ系の合成焦点距離をＦｒｔとするとき、
０．３０＜−Ｆｒｔ／Ｆｎ＜０．９５
なる条件式を満たすことを特徴とする請求項１乃至７のいずれか１項に記載のズームレンズ。
【請求項９】
前記レンズ群ＦＢは２枚以下のレンズより構成されることを特徴とする請求項１乃至８のいずれか１項に記載のズームレンズ。
【請求項１０】
前記レンズ群ＦＡと前記レンズ群ＦＢの望遠端における間隔が前記レンズ群ＦＡと前記レンズ群ＦＢの広角端における間隔よりも大きくなるように、前記レンズ群ＦＡは、ズーミングに際して他のレンズ群とは異なる軌跡で移動することを特徴とする請求項１乃至９のいずれか１項に記載のズームレンズ。
【請求項１１】
物体側から像側へ順に配置された、正の屈折力の第１レンズ群、負の屈折力の第２レンズ群、正の屈折力の第３レンズ群、負の屈折力の第４レンズ群、開口絞りを含む正の屈折力の第５レンズ群、正の屈折力の第６レンズ群よりなり、
前記レンズ群ＦＡは前記第４レンズ群であり、前記レンズ群ＦＢは前記第３レンズ群であることを特徴とする請求項１乃至１０のいずれか１項のズームレンズ。
【請求項１２】
物体側から像側へ順に配置された、正の屈折力の第１レンズ群、負の屈折力の第２レンズ群、正の屈折力の第３レンズ群、負の屈折力の第４レンズ群、開口絞りを含む正の屈折力の第５レンズ群、正の屈折力の第６レンズ群よりなり、
前記レンズ群ＦＡは前記第３レンズ群であり、前記レンズ群ＦＢは前記第４レンズ群であることを特徴とする請求項１乃至１０のいずれか１項のズームレンズ。
【請求項１３】
物体側から像側へ順に配置された、負の屈折力の第１レンズ群、正の屈折力の第２レンズ群、負の屈折力の第３レンズ群、開口絞りを含む正の屈折力の第４レンズ群、正の屈折力の第５レンズ群よりなり、
前記レンズ群ＦＡは前記第３レンズ群であり、前記レンズ群ＦＢは前記第２レンズ群であることを特徴とする請求項１乃至１０のいずれか１項のズームレンズ。 
【請求項１４】
請求項１乃至１３のいずれか１項に記載のズームレンズと、該ズームレンズによって形成された像を受光する撮像素子を有することを特徴とする撮像装置。
【手続補正２】
【補正対象書類名】明細書
【補正対象項目名】００１１
【補正方法】変更
【補正の内容】
【００１１】
本発明のズームレンズは、物体側から像側へ順に配置された、正の屈折力のレンズ群Ｌｐ、負の屈折力のレンズ群Ｌｎを有し、ズーミングに際して隣り合うレンズ群の間隔が変化するズームレンズにおいて、
前記レンズ群Ｌｎよりも像側に配置された開口絞りを有し、
前記レンズ群Ｌｐと前記レンズ群Ｌｎのうち焦点距離の絶対値が小さい方をレンズ群ＦＡ、絶対値が大きい方をレンズ群ＦＢとするとき、
前記レンズ群ＦＡは２枚以下のレンズより構成され、無限遠から第１の有限距離へのフォーカシングに際して前記レンズ群ＦＡは前記レンズ群ＦＢ側へ移動し、
少なくとも一部のズーム範囲における前記第１の有限距離よりも近距離の第２の有限距離へのフォーカシングに際して、前記レンズ群ＦＡは前記レンズ群ＦＢ側へ移動し、前記レンズ群ＦＢは前記レンズ群ＦＡと同じ方向へ移動することを特徴としている。
【手続補正３】
【補正対象書類名】明細書
【補正対象項目名】００１４
【補正方法】変更
【補正の内容】
【００１４】
以下、本発明のズームレンズ及びそれを有する撮像装置の実施例について説明する。本発明のズームレンズは、物体側から像側へ順に配置された、正の屈折力のレンズ群Ｌｐ、負の屈折力のレンズ群Ｌｎ、ズーミングに際して隣り合うレンズ群の間隔が変化する。レンズ群Ｌｎよりも像側に開口絞りが配置されている。レンズ群Ｌｐとレンズ群Ｌｎのうち焦点距離の絶対値が小さい方（屈折力の絶対値が大きい方）をレンズ群ＦＡ、絶対値が大きい方をレンズ群ＦＢとする。レンズ群ＦＡは２枚以下のレンズより構成されている。
【手続補正４】
【補正対象書類名】明細書
【補正対象項目名】００１５
【補正方法】変更
【補正の内容】
【００１５】
無限遠から近距離（第１の有限距離）への通常の撮影領域におけるフォーカシングに際してレンズ群ＦＡはレンズ群ＦＢ側へ移動する。そして少なくとも一部のズーム範囲における近距離から至近距離（近距離よりも更に短い距離）（第１の有限距離よりも近距離の第２の有限距離）へのフォーカシングに際して、レンズ群ＦＡはレンズ群ＦＢ側へ移動し、レンズ群ＦＢはレンズ群ＦＡの位置とは反対側へ移動する。即ち、レンズ群ＦＢはレンズ群ＦＡの移動方向と同じ方向へ移動する。これによって、近距離（第１の有限距離）から更なる距離の短い至近距離（第２の有限距離）にフォーカシング（マクロフォーカシング）を行い、マクロ撮影を行う。
【手続補正５】
【補正対象書類名】明細書
【補正対象項目名】００１６
【補正方法】変更
【補正の内容】
【００１６】
図１は本発明の実施例１の広角端におけるレンズ断面図である。図２（Ａ），（Ｂ）は本発明における数値実施例１のズームレンズをｍｍ単位で表したときの広角端における無限遠と通常モード（通常の撮影範囲）での第１の有限距離である近距離（０．３９ｍ）における収差図である。
【手続補正６】
【補正対象書類名】明細書
【補正対象項目名】００１７
【補正方法】変更
【補正の内容】
【００１７】
図３（Ａ），（Ｂ）は本発明における数値実施例１のズームレンズをｍｍ単位で表したときの望遠端における無限遠と通常モードでの近距離（０．３９ｍ）における収差図である。図４は本発明における数値実施例１のズームレンズをｍｍ単位で表したときの中間ズーム域におけるマクロ撮影モード（マクロ撮影）での第２の有限距離である至近（０．２８ｍ）における収差図である。
【手続補正７】
【補正対象書類名】明細書
【補正対象項目名】００２５
【補正方法】変更
【補正の内容】
【００２５】
マクロ撮影の際にはレンズ群ＦＡはレンズ群ＦＢ側へ移動し、レンズ群ＦＢはレンズ群ＦＡが位置する方向とは反対側へ移動する。即ちレンズ群ＦＢはレンズ群ＦＡの移動方向と同じ方向へ移動する。このときレンズ群ＦＡとレンズ群ＦＢの移動速度は異なる。これにより、近距離から更なる距離の短い至近距離にマクロフォーカシングを行っている。
【手続補正８】
【補正対象書類名】明細書
【補正対象項目名】００３６
【補正方法】変更
【補正の内容】
【００３６】
次に、各実施例のズームレンズにおける形態を述べる。各実施例のズームレンズは、物体側から像側へ順に、正の屈折力のレンズ群Ｌｐ、負の屈折力のレンズ群Ｌｎ、開口絞りを含んでいる。そして焦点距離の絶対値が小さい方をレンズ群ＦＡ、大きい方をレンズ群ＦＢとしている。そしてレンズ群ＦＡが２枚以下のレンズで構成されている。そしてレンズ群ＦＡをレンズ群ＦＢ側へ駆動させることで無限遠から近距離へのフォーカシングを行っている。
【手続補正９】
【補正対象書類名】明細書
【補正対象項目名】００４０
【補正方法】変更
【補正の内容】
【００４０】
これによりレンズ群ＦＡでフォーカシングする際のフォーカス移動量を小さくしている。それにより、レンズ群ＦＡが、２枚以下の少ないレンズ構成にも関わらず、フォーカス移動量を小さくかつ、フォーカシングによる収差変動も小さくすることができ、更にズーミングに際して変倍効果も得ることができる。
【手続補正１０】
【補正対象書類名】明細書
【補正対象項目名】００５８
【補正方法】変更
【補正の内容】
【００５８】
各実施例においては無限遠から近距離へのフォーカシングで移動しない方のレンズ群ＦＢも、２枚以下の少ないレンズ枚数で構成することが、全系を小型軽量化するために好ましい。レンズ群ＦＡはレンズ群ＦＢとの間隔が広角端に比べ望遠端で大きくなるようにズーミングに際して他のレンズ群とは異なった軌跡で（独立に）移動するのが良い。またレンズ群ＦＢに対する相対移動方向が、無限遠から近距離へのフォーカシングの際の移動方向と逆方向であるのが良い。それにより、フォーカシングのために移動するスペースをズーミングにおいても効果的に利用でき、全系の小型化と高性能化が容易になる。